(57)【特許請求の範囲】
【請求項１】
丁合機及び中綴じ折機よりなる複数の機器を備え、複数の機器の一つを親機、他の機器を子機とした製本システムであって、
上記複数の機器はそれぞれ自機のジョブ内容を記憶する記憶手段と、上記記憶手段にジョブ内容を保存する制御手段とを備え、
親機の制御手段がジョブ内容を記憶手段に保存する際、親機の制御手段が子機の制御手段に親機のジョブのジョブ番号及び／またはジョブ名を通知するとともに、子機のジョブ内容を子機の記憶手段に保存するよう指令し、
子機の記憶手段に記憶されたジョブ内容の読み出し時に、子機の制御手段が、親機の制御手段に親機のジョブのジョブ番号またはジョブ名を問い合わせ、当該ジョブ番号またはジョブ名の子機のジョブ内容を子機の記憶手段から読み出すことを特徴とする複数の機器を備えた製本システム。
【請求項２】
丁合機、折機及び断裁機よりなる複数の機器を備え、複数の機器の一つを親機、他の機器を子機とした製本システムであって、
上記複数の機器はそれぞれ自機のジョブ内容を記憶する記憶手段と、上記記憶手段にジョブ内容を保存する制御手段とを備え、
親機の制御手段がジョブ内容を記憶手段に保存する際、親機の制御手段が子機の制御手段に親機のジョブのジョブ番号及び／またはジョブ名を通知するとともに、子機のジョブ内容を子機の記憶手段に保存するよう指令し、
子機の記憶手段に記憶されたジョブ内容の読み出し時に、子機の制御手段が、親機の制御手段に親機のジョブのジョブ番号またはジョブ名を問い合わせ、当該ジョブ番号またはジョブ名の子機のジョブ内容を子機の記憶手段から読み出すことを特徴とする複数の機器を備えた製本システム。
【発明の詳細な説明】
【技術分野】
【０００１】
本発明は、丁合機と中綴じ折機等の後処理機を連結した製本システム等の、異なるジョブを実行する複数の機器を備えた製本システムに関する。
【背景技術】
【０００２】
印刷機は、古くから同一頁を一度に多数枚印刷して各頁ごとに積み分けて用紙束を作成する方式が採用されている。この方式で作成された用紙束から冊子を作成するには、各頁ごとに積み重ねた用紙束から頁順に一枚ずつ取出しこれを積み重ねて一冊分の用紙束を作成し、適宜表紙や他の印刷紙などを重ねてその背面を綴じて製本して一冊の冊子が完成される。
【０００３】
各頁ごとに積み重ねた用紙束から頁順に一枚ずつ取出しこれを積み重ねて一冊分の用紙束を作成する機械として丁合機があり、一冊分の用紙束を綴る機械として、一冊分の用紙束を所定の位置に揃えて置き、その用紙束の中央部を針金などで綴じ、綴じた用紙束の中央部を折ナイフで折りローラ間に突き入れて折り曲げるように構成された中綴じ折機がある。また、中綴じ折機で作成された中綴じ折り冊子の天部、地部及び小口部の三方を断裁して体裁を整えるものとして断裁機がある。
【０００４】
このような丁合機や中綴じ折機等を用いた製本作業を簡便に行うために、丁合機と中綴じ折機等を連結した製本システムを構成し、丁合機で作成した一冊分の用紙束をそのまま中綴じ折機等へ搬送して綴じ折り等を行うようにしている（例えば、特許文献１参照）。
【特許文献１】特開２００７−３０７８９２号公報
【発明の開示】
【発明が解決しようとする課題】
【０００５】
上記のように、製本を行う場合、丁合機、中綴じ折機、断裁機等の複数の機械を組み合わせて製本システムを構成するが、従来、このようなシステムを構成する各機器ごとにジョブの内容を保存する保存リストを作成し、ユーザが管理を行っていた。
【０００６】
例えば、丁合機の場合、給紙角設定、ミスフィード設定、棚下降量等の給紙設定、丁合速度、ベルトスピード、センサ感度等の動作設定、位置決めガイド位置、位置決めガイド微調値等を設定しなければならず、製本作業を行うたびにこれらの設定を行うと、時間がかかってしまう。このため、丁合機の設定完了時に、設定したジョブ内容にジョブ名やジョブ番号を付けてメモリに保存し、同様の丁合を行う場合に、保存したジョブ内容を読み出すことにより、丁合機の設定を容易に行うことができるようにしている。
【０００７】
同様に、中綴じ折機と断裁機の場合には、折り不良感度設定、ステッチ本数、小口断裁on/off、天地断裁on/off等の設定、用紙長さ、用紙幅、折り位置、冊子厚み、断裁位置寸法等のサイズ、ステッチャヘッド微調値、中綴じ部スライド微調値、プレスローラ微調値等の微調値をジョブ内容としてメモリに保存するようにしている。
【０００８】
このように、ユーザは機器ごとにジョブ内容の保存リストを管理しなければならず、保存する際には、それぞれの機器でジョブ名やジョブ番号を入力しなければならないので、手間がかかるという問題があった。
【０００９】
本発明は、上記の問題に鑑みてなされたもので、それぞれの機器でジョブ保存リストを管理することなく、ジョブ内容の一元管理を行うことができる複数の機器を備えた製本システムを提供することを目的とする。
【課題を解決するための手段】
【００１０】
本発明の複数の機器を備えた製本システムは、製本システム内で親機と子機をあらかじめ決めておき、ジョブの保存リストは親機が持ち、親機でジョブ内容を保存した際に、子機は自機のジョブを上記親機のジョブ番号またはジョブ名に対応して自動的に保存する。そして、新たな作業を行う場合には、親機で保存されていたジョブ内容を呼び出し、その後、子機にてジョブ内容の読み出し操作を行うと、子機が親機にジョブ番号またはジョブ名を問い合わせ、当該ジョブ番号またはジョブ名のジョブ内容を読み出すようにした。
【発明の効果】
【００１１】
本発明の複数の機器を備えた製本システムによれば、ユーザは親機に保存されているジョブ内容のみを保存リストとして管理していれば、子機のジョブ内容の保存リストを管理することなく、子機でジョブ内容を管理することができ、ジョブ内容の保存、読み出しの手間を省くことができる。
【実施例１】
【００１２】
以下、本発明に係る複数の機器を備えた製本システムを丁合機と中綴じ折機・断裁機を連結した製本システムに適用した実施例について図により説明する。
図１は、丁合機１Ａ、１Ｂと中綴じ折機２、断裁機３を連結した製本システムの外観図であり、丁合機１Ａには丁合機１Ａ、１Ｂの設定を行うための液晶タッチパネルよりなる操作パネル１ａが設置され、中綴じ折機２には中綴じ折機２と断裁機３の設定を行うための液晶タッチパネルよりなる操作パネル２ａが設置されている。なお、この実施例では、中綴じ折機２が親機となり、丁合機１が子機となるようにしている。
【００１３】
縦型丁合機１Ａ、１Ｂは同様な構造を備えており、その具体的構造について図２の概念図により説明する。
これらの縦型丁合機１Ａ、１Ｂは縦方向に８段の給紙段１１ａ〜１１ｈを備えている。各給紙段には給紙ローラ１２ａ〜１２ｈが配置されており、縦方向送りローラ１３ａ〜１３ｈを介して縦方向搬送ベルト１４に用紙を給紙する。縦方向搬送ベルト１４は、上下に配置された縦方向搬送ベルト用駆動ローラ１５ａ、１５ｂにより駆動される。各給紙段から給紙された用紙は頁順に丁合されて用紙束が形成され、横方向搬送ベルト１６により搬送される。
【００１４】
横方向搬送ベルト１６は、横方向搬送ベルト用駆動ローラ１７ａ、１７ｂにより駆動される。横方向搬送ベルト１６の回転方向は、当該駆動ローラ１７ａ、１７ｂの回転方向を切り替えることにより時計回り方向と反時計回り方向のいずれかの方向に選定できる。１８は丁合された用紙束を加圧して横方向搬送ベルト１６から搬出するための加圧ローラ、１９は横方向送りローラ、２０は縦方向搬送ベルト１４から横方向搬送ベルト１６に搬送される用紙束の搬送経路を左右に切り替える切り替えゲートである。横方向搬送ベルト１６の回転方向は、切り替えゲート２０による用紙束の搬送経路の切り替えに応じて時計回り方向と反時計回り方向のいずれかの方向に選定される。
【００１５】
そして、縦型丁合機１Ａ、１Ｂを直列に連結する場合、縦型丁合機１Ｂで丁合された用紙束が、縦型丁合機１Ａの横方向搬送ベルト１６で搬送され、縦型丁合機１Ａの切り替えゲート２０を通過するタイミングで、縦型丁合機１Ａで丁合された用紙束が当該用紙束に重ねられるように、縦型丁合機１Ａの各給紙段１１ａ〜１１ｈに給紙信号が出力される。
【００１６】
一方、図３は丁合機の構成を示すブロック図であり、制御部１ｂは、丁合機の給紙ローラや搬送ベルト等を駆動する丁合機駆動機構１ｃ、丁合機の位置決めガイド等の位置を調整する丁合機調整機構１ｄを制御するとともに、操作パネル１ａに操作・設定画面の情報を出力する。また、記憶部１ｅは丁合機のジョブ内容を記憶するためのメモリであり、丁合機の設定完了時に、制御部１ｂが設定されたジョブ内容にジョブ名やジョブ番号を付して記憶部１ｅに保存し、同様の丁合を行う場合に、保存したジョブ内容が読み出される。
【００１７】
次に、中綴じ折機２、断裁機３について説明する。
図４は中綴じ折機２の具体的構造を示す概念図であり、中綴じ折機２は、搬入されてくる用紙束を搬送する搬送ベルト２１と、搬送ベルト２１により搬送された用紙束を所定の位置に止めて揃えるストッパ２２と、ストッパ２２により位置決めされた用紙束の中央部を針金で綴じるステッチャー２３と、綴じ後の用紙束を搬入し所定の位置に止めるストッパ２４と、ストッパ２４により位置決めされた用紙束の中央部の綴じた部位をニップローラ２５間に押し込む折刃２６により構成されている。
【００１８】
この中綴じ折機２を使用して中綴じ折り冊子が作成される場合、丁合機１Ａ、１Ｂで作成された１冊分を形成する用紙束の中央部をステッチャー２３で綴じ、綴じた用紙束を折刃２６とニップローラ２５で２つ折りし、２つ折りした用紙束を加圧ローラ２８で折り癖を付けて１冊の冊子が作成される。
【００１９】
また、断裁機３は、中綴じ折機２で作成された中綴じ折り冊子の天部、地部及び小口部の三方を断裁して体裁を整えるものであり、図示を省略するが、一つの断裁刃物と回転テーブルを備え、断裁する冊子を回転テーブルに載置し、回転テーブルを９０度ずつ回転して冊子の天部、地部及び小口部の三方を順次断裁刃物の下方に位置させて、冊子の天部、地部及び小口部の三方を順次断裁する。
【００２０】
さらに、図５は中綴じ折機２、断裁機３の構成を示すブロック図であり、制御部２ｂは、中綴じ折機２のステッチャーや折刃等を駆動する中綴じ折機駆動機構２ｃ、ストッパ等の位置を調整する中綴じ折機調整機構２ｄ、断裁機３の回転テーブルや断裁刃物を駆動する断裁機駆動機構３ｃ、ガイド等の位置を調整する断裁機調整機構３ｄを制御するとともに、操作パネル２ａに中綴じ折機２、断裁機３の操作・設定画面の情報を出力する。また、記憶部２ｅは中綴じ折機２、断裁機３のジョブ内容を記憶するメモリであり、製本システムの設定完了時に、制御部２ｂが設定されたジョブ内容にジョブ名やジョブ番号を付して記憶部２ｅに保存する。
【００２１】
次に、製本システムの設定完了時、すなわち、丁合機１、中綴じ折機２、断裁機３の設定完了時に、設定したジョブ内容を記憶部１ｅ、２ｅに保存する場合の作用について説明する。
中綴じ折機２の操作パネル２ａの操作画面で「メモリー」ボタンを押すと、図６に示すジョブリスト画面が表示される。この画面でリストの「００２」を選択した後、下部の「保存」ボタンを押すと、操作パネル２ａに図７に示すジョブ名入力画面が表示される。このジョブ名入力画面には、カタカナのキーボードが表示されているが、下部の「ＱＷＥＲＴＹ」ボタンを押すことにより、ＱＷＥＲＴＹ配列の英数字キーボードを表示することができ、「ＡＢＣ・・・」ボタンを押すことにより、アルファベット順の英数字キーボードを表示することができる。また、下段左側のリターンボタンを押すことにより、図６のジョブリスト画面に戻ることができる。
【００２２】
そして、図７のジョブ名入力画面で名前を入力した後、「ＯＫ」ボタンを押して名前を確定すると、図８に示すように、ジョブ名が表示されたジョブリスト画面が操作パネル２ａに表示されるとともに、図９に示すように、制御部２ｂが中綴じ折機２、断裁機３の設定、すなわち、折り不良感度設定、ステッチ本数、小口断裁on/off、天地断裁on/off等の設定、用紙長さ、用紙幅、折り位置、冊子厚み、断裁位置寸法等のサイズ、ステッチャヘッド微調値、中綴じ部スライド微調値、プレスローラ微調値等の微調値をジョブ番号「００２」、ジョブ名「Hori_カタログ」として、記憶部２ｅに保存する。
【００２３】
そして、ジョブ内容を記憶部２ｅに保存した後、制御部２ｂは丁合機１の制御部１ｂに対して上記のジョブ番号「００２」、ジョブ名「Hori_カタログ」を通知するとともに、ジョブの保存要求を行う。これにより、丁合機１の制御部１ｂは、丁合機１のジョブ内容、すなわち、給紙角設定、ミスフィード設定、棚下降量等の給紙設定、丁合速度、ベルトスピード、センサ感度等の動作設定、位置決めガイド位置、位置決めガイド微調置等を、通知されたジョブ番号、ジョブ名を付して記憶部１ｅに保存する。
このように、親機である中綴じ折機２が中綴じ折機２、断裁機３のジョブ内容を保存することにより、子機である丁合機１が自動的にジョブ内容を保存するので、ユーザは丁合機で一切保存操作をすることなく、ジョブ内容を保存することができる。
【００２４】
次に、記憶部２ｅ、１ｅに保存されているジョブ内容を読み出す場合の作用について説明する。
中綴じ折機２の操作パネル２ａに表示されている、図８に示すジョブリスト画面でユーザがリストの「００２」を選択した後、下部の「読み出し」ボタンを押すと、図１０に示すように、制御部２ｂが記憶部２ｅからジョブ番号「００２」のジョブ内容を読み出して、図１１に示すように、仕上がりサイズの表示画面を操作パネル２ａに表示する。ユーザはこの画面で用紙長さ、用紙幅、折り位置、冊子厚み、ステッチ本数等を確認することができ、数値表示欄の右側のボタンを押すことによりそれらの数値を増減することもできる。また、この画面で下部の「引き継ぐ」ボタンを押すことにより、ジョブ番号「００２」のジョブ内容のステッチャヘッド微調値、中綴じ部スライド微調値、プレスローラ微調値等の微調値を引き継ぐことができる。また、「破棄する」ボタンを押すことにより、ジョブ番号「００２」のジョブ内容の微調値を破棄することができ、図１１のサイズ表示画面の上部の「微調」ボタンを押すことにより、微調値の修正、設定を行うことができる。
【００２５】
そして、図１１のサイズ表示画面で「調整スタート」ボタンを押すことにより、ジョブ番号「００２」のジョブの設定、または、修正された設定に基づいて制御部２ｂが中綴じ折機調整機構２ｄ及び断裁機調整機構３ｄを制御して中綴じ折機２、断裁機３のセット替えを行い、ジョブを確定する。この後、制御部２ｂは、操作パネル２ａに図１２に示す運転画面を表示し、この運転画面でユーザは、製本数や製本速度等の修正、設定を行うことができる。
【００２６】
次に、丁合機１でのジョブの読み出しについて説明する。
ユーザが丁合機１の操作パネル１ａに表示された操作画面で「メモリー」ボタンを押すと、図１３に示すメモリー画面が表示されるので、この画面で下部の「折機から呼び出し」ボタンを押すと、図１０に示すように、丁合機１の制御部１ｂが中綴じ折機２の制御部２ｂにジョブ番号の問い合わせを行うので、制御部２ｂが制御部１ｂにその時点でセットされているジョブのジョブ番号を通知する。
【００２７】
制御部２ｂからジョブ番号の通知を受けると、制御部１ｂは当該ジョブ番号の丁合機１のジョブ内容を記憶部１ｅから読み出し、図１４のメモリー画面に示すように、ジョブ番号、ジョブ名及び当該ジョブの内容を表示する。この状態で、「タワー設定」ボタン、「棚設定」ボタンを押すことにより、丁合速度、ベルトスピード、センサ感度等のタワー設定、あるいは、給紙角設定、ミスフィード設定、棚下降量等の棚設定、を修正することができる。また、図１４のメモリー画面で「確定／セット替え」ボタンを押すことにより、制御部１ｂが丁合機調整機構１ｄを制御して丁合機のセット替えを行い、ジョブを確定する。
以上のように、丁合機ではジョブをリストから選択することなく、ジョブ内容を読み出すことができるので、ジョブ内容のリストを管理する手間が省けるとともに、簡単にジョブをセットすることができる。
【００２８】
なお、上記の実施例では、丁合機から中綴じ折機にジョブ番号の問い合わせを行ったが、ジョブ名の問い合わせを行うようにすることもできる。
また、上記の実施例では、中綴じ折機を親機、丁合機を子機とした製本システムについて説明したが、丁合機を親機、中綴じ折機を子機とすることもでき、また、他の製本機器を組み合わせた製本システムにも本発明を適用することができる。
【００２９】
さらに、上記の実施例では、中綴じ折機の制御部により断裁機を制御したが、断裁機に別途制御部と操作パネルを設け、中綴じ折機または丁合機の子機とするように製本システムを構成することも可能である。
【図面の簡単な説明】
【００３０】
【図１】丁合機と中綴じ折機、断裁機を連結した製本システムの外観図である。
【図２】縦型丁合機の具体的構造を示す概念図である。
【図３】丁合機の構成を示すブロック図である。
【図４】中綴じ折機の具体的構造を示す概念図である。
【図５】中綴じ折機、断裁機の構成を示すブロック図である。
【図６】中綴じ折機のジョブリスト画面の一例である。
【図７】中綴じ折機のジョブ名入力画面の一例である。
【図８】ジョブ名が表示されたジョブリスト画面の一例である。
【図９】ジョブ内容の保存を説明するためのブロック図である。
【図１０】ジョブ内容の読出しを説明するためのブロック図である。
【図１１】中綴じ折機のサイズ表示画面の一例である。
【図１２】中綴じ折機の運転画面の一例である。
【図１３】丁合機のメモリー画面の一例である。
【図１４】ジョブ番号、ジョブ名及び当該ジョブの内容を表示したメモリー画面の一例である。
【符号の説明】
【００３１】
１Ａ、１Ｂ  丁合機
２中綴じ折機
３断裁機
１ａ、２ａ  操作パネル
１ｂ、２ｂ  制御部
１ｃ  丁合機駆動機構
１ｄ  丁合機調整機構
１ｅ、２ｅ  記憶部
２ｃ  中綴じ折機駆動機構
２ｄ  中綴じ折機調整機構
３ｃ  断裁機駆動機構
３ｄ  断裁機調整機構
【図１】
0005328227.tif 000002
【図２】
0005328227.tif 000003
【図３】
0005328227.tif 000004
【図４】
0005328227.tif 000005
【図５】
0005328227.tif 000006
【図６】
0005328227.tif 000007
【図７】
0005328227.tif 000008
【図８】
0005328227.tif 000009
【図９】
0005328227.tif 000010
【図１０】
0005328227.tif 000011
【図１１】
0005328227.tif 000012
【図１２】
0005328227.tif 000013
【図１３】
0005328227.tif 000014
【図１４】
0005328227.tif 000015